【事件の表示】
　特願２００２−１００４１５「３Ｄ画像による眼鏡自動選定システム」拒絶査定不服審判事件〔平成１５年１０月１５日出願公開、特開２００３−２９５１３２〕について、次のとおり審決する。
【結　論】
　本件審判の請求は、成り立たない。
【理　由】
第１　手続の経緯
　
　本願は、平成１４年４月２日に出願された、特願２００２−１００４１５号であって、平成１８年２月１４日付けで拒絶理由通知がなされ、同年４月２４日付けで手続補正がなされ、同年７月３１日付けで拒絶理由通知がなされ、同年１０月１０日付けで手続補正がなされ、同年１１月２９日付けで同年１０月１０日付けの手続補正についての補正の却下の決定がなされるとともに拒絶査定がなされ、これに対し、平成１９年１月１１日付けで拒絶査定不服審判の請求がなされるとともに同年２月１３日付けで手続補正がなされたものである。
　
第２　平成１９年２月１３日付けの手続補正についての補正の却下の決定
　
［補正の却下の決定の結論］
　
　平成１９年２月１３日付けの手続補正（以下「本件補正」という。）を却下する。
　
［理由］
１．補正の内容
　
　本件補正は、特許請求の範囲について、補正前（平成１８年４月２４日付け手続補正書参照）に
　
「【請求項１】　通信ネットワークに接続された街頭情報端末を利用し、ユーザーが所望する眼鏡を３Ｄ画像によりユーザーとの対話形式で選定するシステムであって、
　眼鏡フレーム及び眼鏡レンズに関する多数の３Ｄ画像データとユーザー又はモデルの３Ｄ顔画像データとを格納する３Ｄデータベースと、
　眼鏡フレーム及び眼鏡レンズとユーザー又はモデルの顔との３Ｄ画像を取込みメモリに格納する３Ｄ画像取込手段と、
　レンズ度数を含むユーザー視力に関する検眼データを入力する検眼結果入力手段と、
　ユーザーの操作に応じ、
　前記３Ｄデータベースより特定の眼鏡フレームを選択する３Ｄフレーム選択手段と、
　前記３Ｄデータベースより特定の眼鏡レンズを選択する３Ｄレンズ選択手段と、
　前記３Ｄデータベースより前記３Ｄ顔画像を選択する３Ｄ顔画像選択手段と、
　前記選択された眼鏡フレーム及び眼鏡レンズを前記３Ｄ顔画像に合成する３Ｄ画像合成手段と、
　前記３Ｄ画像合成手段で合成された３Ｄ画像を、移動、回転、拡大、及び縮小操作とユーザー視点で周囲を見渡す視点操作とが可能な３Ｄ眼鏡装着シミュレーション画像により表示するタッチパネル操作方式のディスプレイと、
　前記選択された眼鏡フレーム及び眼鏡レンズと前記検眼データとから眼鏡作成用データを作成する眼鏡作成用データ作成手段と、
　前記ディスプレイに表示された３Ｄ眼鏡装着シミュレーション画像を操作して最終的な装着具合を確認したユーザーにより選択され、前記眼鏡作成用データ作成手段により作成された眼鏡作成用データを基に眼鏡注文書を作成し、作成された眼鏡注文書を眼鏡販売店又は眼鏡メーカーへ通信ネットワークを介して伝送する通信手段と、
　３Ｄ画像データの外部装置及び記録媒体からの読み取り及び前記眼鏡注文書を基にユーザーに渡される注文請書をプリントアウトする付属サービス手段と、を備えることを特徴とする３Ｄ画像による眼鏡自動選定システム。」
　
とあったものを、
　
「【請求項１】　公共の場所に設置され通信ネットワークに接続されたタッチパネル操作方式の汎用の街頭情報端末を利用し、ユーザーが所望する眼鏡を３Ｄ画像によりユーザーとの対話形式で選定するシステムであって、
　眼鏡フレーム及び眼鏡レンズに関する多数の３Ｄ画像データとユーザー又はモデルの３Ｄ顔画像データとを格納する３Ｄデータベースと、
　眼鏡フレーム及び眼鏡レンズとユーザー又はモデルの顔との３Ｄ画像を取込みメモリに格納する３Ｄ画像取込手段と、
　レンズ度数を含むユーザー視力に関する検眼データを入力する検眼結果入力手段と、
　ユーザーの操作に応じ、
　前記３Ｄデータベースより特定の眼鏡フレームを選択する３Ｄフレーム選択手段と、
　前記３Ｄデータベースより特定の眼鏡レンズを選択する３Ｄレンズ選択手段と、
　前記３Ｄデータベースより前記３Ｄ顔画像を選択する３Ｄ顔画像選択手段と、
　前記選択された眼鏡フレーム及び眼鏡レンズを前記３Ｄ顔画像に合成する３Ｄ画像合成手段と、
　前記３Ｄ画像合成手段で合成された３Ｄ画像の移動、回転、拡大、及び縮小操作による全方位からの眼鏡装着具合の確認、ユーザー視点で周囲を見渡す視点操作による眼鏡度数の確認、及びアバター３Ｄ画像による眼鏡装着時のアニメーション表示が可能な３Ｄ眼鏡装着シミュレーション画像を表示するタッチパネル操作方式のディスプレイと、
　前記選択された眼鏡フレーム及び眼鏡レンズと前記検眼データとから眼鏡作成用データを作成する眼鏡作成用データ作成手段と、
　前記ディスプレイに表示された３Ｄ眼鏡装着シミュレーション画像を操作して最終的な装着具合を確認したユーザーにより選択され、前記眼鏡作成用データ作成手段により作成された眼鏡作成用データを基に眼鏡注文書を作成し、作成された眼鏡注文書を眼鏡販売店又は眼鏡メーカーへ通信ネットワークを介して伝送する通信手段と、
　前記３Ｄ画像取込手段で前記３Ｄ画像データを取り込むための記録媒体からの読み取り、及び前記眼鏡注文書を基にユーザーに渡される注文請書をプリントアウトする付属サービス手段と、を備えることを特徴とする３Ｄ画像による眼鏡自動選定システム。」
　
　と補正するものであるところ、その内容は、次の補正事項１ないし補正事項３のとおりである。
　
（１）補正事項１
　補正前の請求項１の「通信ネットワークに接続された街頭情報端末」を、補正後の請求項１において「公共の場所に設置され通信ネットワークに接続されたタッチパネル操作方式の汎用の街頭情報端末」とする補正。
　
（２）補正事項２
　補正前の請求項１の「３Ｄ画像合成手段で合成された３Ｄ画像を、移動、回転、拡大、及び縮小操作とユーザー視点で周囲を見渡す視点操作とが可能な３Ｄ眼鏡装着シミュレーション画像により表示するタッチパネル操作方式のディスプレイ」を、補正後の請求項１において「３Ｄ画像合成手段で合成された３Ｄ画像の移動、回転、拡大、及び縮小操作による全方位からの眼鏡装着具合の確認、ユーザー視点で周囲を見渡す視点操作による眼鏡度数の確認、及びアバター３Ｄ画像による眼鏡装着時のアニメーション表示が可能な３Ｄ眼鏡装着シミュレーション画像を表示するタッチパネル操作方式のディスプレイ」とする補正。
　
（３）補正事項３
　補正前の請求項１の「３Ｄ画像データの外部装置及び記録媒体からの読み取り及び前記眼鏡注文書を基にユーザーに渡される注文請書をプリントアウトする付属サービス手段」を、補正後の請求項１において「前記３Ｄ画像取込手段で前記３Ｄ画像データを取り込むための記録媒体からの読み取り、及び前記眼鏡注文書を基にユーザーに渡される注文請書をプリントアウトする付属サービス手段」とする補正。
　
２．独立特許要件について
　補正事項１は、「通信ネットワークに接続された街頭情報端末」について「公共の場所に設置され」た「タッチパネル操作方式の汎用の街頭情報端末」であると限定する補正である。また、補正事項２は、「３Ｄ画像合成手段で合成された３Ｄ画像を、移動、回転、拡大、及び縮小操作とユーザー視点で周囲を見渡す視点操作とが可能な」「ディスプレイ」を、「３Ｄ画像合成手段で合成された３Ｄ画像の移動、回転、拡大、及び縮小操作による全方位からの眼鏡装着具合の確認、ユーザー視点で周囲を見渡す視点操作による眼鏡度数の確認、及びアバター３Ｄ画像による眼鏡装着時のアニメーション表示が可能な」「ディスプレイ」であると限定する補正である。さらに、補正事項３は、「３Ｄ画像データの外部装置及び記録媒体からの読み取り」について「３Ｄ画像取込手段で前記３Ｄ画像データを取り込むための記録媒体からの読み取り」であると限定する補正である。したがって、補正事項１ないし３は、平成１８年改正前特許法第１７条の２第４項第２号に掲げる特許請求の範囲の限定的減縮を目的とするものに該当する。よって、本件補正は、特許法第１７条の２第４項の各号に掲げる事項を目的とする補正に該当する。
　したがって、本件補正は特許法第１７条の２第４項第２号に掲げるいわゆる限定的減縮を目的とするものに該当するものであるから、本件補正後における特許請求の範囲に記載されている事項により特定される発明が特許出願の際独立して特許を受けることができるものであるか（平成１８年改正前特許法第１７条の２第５項において準用する同法第１２６条第５項に規定する要件を満たすか）否かを、請求項１に係る発明（以下、「本件補正発明」という。）について以下に検討する。
　
（１）引用例
（ア）原査定の拒絶の理由に引用され、本願の出願前に頒布された刊行物である国際公開９８／５２０９２号明細書（以下、「引用例１」という。）には、以下の事項が図面とともに記載されている。
　
（ａ）「本発明は、コンピュータ制御による表示画面を用いて、眼鏡注文者の好みを重視したデザインの眼鏡を決定する眼鏡のオーダーメイドシステム、並びにこのシステムに適した、肖像と眼鏡フレームを重ね合わせる合成画像作成方法、眼鏡のヨロイ及びブリッジの位置決定方法、および眼鏡フレーム種類の変更方法に関する。」（明細書第１頁第６〜１０行参照））
　
（ｂ）「この実施例のオーダーメイドシステムのハード構成は、図１０に示されるように、店頭対話システム１００と、この店頭対話システム１００に通信回線を通じて接続されるホストコンピュータ１１０と、このホストコンピュータ１１０に通信回線を通じて接続される製造工場の端末装置１２１，１２２から構成される。
　店頭対話システム１００は、コンピュータ本体１０１と、表示画面（モニター）１０１ａ等の出力装置と、入力キーボード１０１ｂもしくはマウス１０１ｃ等の入力装置とからなるコンピュータ装置をメインにし、さらに、必要に応じてこのコンピュータ装置に肖像画像を入力するためのデジタルカメラ、ＣＣＤカメラ等からなる肖像撮影装置１０２、眼鏡注文者等が選定したフレームの玉型形状を実測してコンピュータ装置に入力するための玉型計測器（三次元フレームトレーサー（３ＤＦＴ））１０３等が設けられる。この店頭対話システム１００の操作者は、眼鏡店等の店員でも、あるいは眼鏡注文者自身でもよい。
　コンピュータ本体１０１には、前記表示画面１０１ａ上で、予め用意された複数種類のベースデザインのフレームの中から任意の１つを選択し、この選択したベースデザインのフレームをもとにして、各種のフレームの種類、玉型及びパーツを含む眼鏡の各構成部材を任意に変更することによって、表示画面上で眼鏡注文者の好みに応じた最適な眼鏡仕様を決定して注文できるようにするプログラムソフトが格納されている。この格納されているソフトが有する機能の概要は、以下の通りである。
ａ．表示画面１０１ａ上で、予め用意された複数種類のベースデザインのフレームの中から任意の１つを選択するベースデザイン選択機能
ｂ．肖像撮影装置１０２によって撮影した眼鏡装用者（眼鏡注文者）の肖像を取り込む肖像取込機能
ｃ．肖像撮影装置１０２により撮影された眼鏡装用者の肖像に選択されたフレームの画像を重ねて、眼鏡を装用した肖像を表示画面１０１ａ上に表示する合成画像作成機能
ｄ．ベースデザイン選択機能を用いて選択したベースデザインのフレームをもとにして、各種のフレームの種類、玉型及びパーツを含む眼鏡の複数の構成部材のそれぞれについて表示画面上で必要な事項について変更、修正又は入力を行う１以上の変更機能
ｅ．表示画面上で得られた１以上の眼鏡の画像を含むデータを記憶する記憶機能
ｆ．記憶機能で記憶された眼鏡画像を含む１以上の眼鏡画像を表示画面上に表示して比較又は検討していずれかに決定するか又は決定せずに前記変更機能を行うステップに戻るかを決める比較検討機能
ｇ．ベースデザイン選択機能を用いてベースデザインのフレームを選択した後に、肖像撮影装置１０２によって撮影した肖像を取り込む上記肖像取込機能、上記合成画像作成機能、上記１以上の変更機能、又は、上記比較検討機能のいずれか１以上の機能を操作者が任意に選択して行うことができるようにする機能」（明細書第１７頁第９行〜第１８頁第１８行参照）
　
（ｃ）「前記１以上の変更機能は、フレーム種類の変更機能、玉型の入れ替え機能、玉型の修正機能、パーツの変更機能、パーツ位置の変更機能、アイサイズやレンズ間距離等のサイズを変更するサイズ変更機能、フレーム構成部品のカラーを変更するカラー変更機能、レンズカラーの変更機能、レンズ装用の背景を変更する装用シーンの変更機能、又はレンズ処方の入力機能のいずれか１以上を含むものである。」（明細書第１９頁第１〜６行参照）
　
（ｄ）「また、上記コンピュータ本体１０１に格納されているプログラムソフトは、眼鏡仕様が決定された後に、眼鏡製造に必要なデータを含むデータを有する発注チェックデータベースにアクセスしてその仕様の眼鏡の製造の可否、価格もしくは納期を含む眼鏡注文時に必要な情報を得る発注チェックアクセス機能も有する。
　さらに、上記ソフトは、発注チェックアクセス機能を行って注文が決定された後、受注処理、受注した眼鏡の製造に必要なデータの処理及び眼鏡製造に必要な指図処理を含むデータを有する受注データベースにアクセスして発注を完了する発注アクセス機能も有する。
　なお、上記発注チェックデータベース及び受注データベースは、ホストコンピュータ１１０に格納されている。
　ホストコンピュータ１１０には、発注チェックデータベース及び受注データベースのほかに、受注データに基づいて、作業指示票を作成し、製造工場の端末装置１２１，１２２にフレームやレンズ製造に必要なデータを送る機能も有している。」（明細書第２０頁第８〜２１行参照）
　
（ｅ）「この合成画像作成方法を実施するシミュレーション装置は、画面表示のためのディスプレイ、眼鏡フレームの情報を格納したデータベース、各種入力装置等を含むコンピュータと、人物の頭部正面及び頭部左右側面を撮影して静止画像データをコンピュータに入力するカメラとを備える。コンピュータは、カメラで撮影した人物の肖像を表示画面上に取り込むことができると共に、データベースから必要なフレーム画像情報を読み込んで、適当な修正を加えながら、画面上の肖像に重ねることができる。」（明細書第２２頁第２６行〜第２３頁第３行参照）
　
（ｆ）「このステップ９が終了すると、以上のステップによって決定されたフレーム形状等を含む眼鏡製造に必要なデータが通信回線を通じてホストコンピュータ１１０に送信される。
　ホストコンピュータ１１０は、眼鏡製造に必要なデータを含むデータを有する発注チェックデータベースを有しており、上記店頭対話システム１００から送信されたデータを解析して、製造可能か否かを判断し、製造不可能であれば、その旨の回答を店頭対話システム１００に送信し、製造可能であれば次のステップに進む（ステップ１０）。
　店頭対話システム１００が製造不可能の回答を受け取った場合には、トライアルのステップ５に戻り、再度変更等のステップを行う。一方、製造可能と判断された場合には、ステップ１１に進み、各パーツの寸法の計算、価格や納期等の計算が行われ、その結果が店頭対話システム１００に回答される（ステップ１２）。ここで、価格計算の際には、各パーツの種類、材質、グレード、寸法、重量、加工費等が考慮され、所定の計算ルールに従って行われる。
　店頭対話システム１００において、上記ホストコンピュータ１１０から納期や価格等についての回答を受け取ったら、発注（オーダー）するか否かを決定する（ステップ１３）。オーダーをしない旨の決定がなされてその旨の入力がなされた場合には、トライアルのステップ５に戻る。オーダーする旨の決定がなされてその旨の入力がなされると、その旨の回答がホストコンピュータ１１０に送信される。
ホストコンピュータ１１０がオーダー決定の回答を受け取ると、ステップ１４に移行し、ホストコンピュータ１１０に格納されている眼鏡の製造に必要なデータの処理及び眼鏡製造に必要な指図処理を含むデータを有する受注処理データベースが作動して眼鏡製造に必要なデータが作成され、フレーム製造を担当する製造工場の端末１２１にはフレーム製造指示及び製造データが送信され、レンズ製造を担当する製造工場の端末１２２にはレンズ製造指示及び製造データが送信される（ステップ１４）。」（明細書第３９頁第１３行〜第４０頁第１０行参照）
　
（ｇ）「請求の範囲
１．コンピュータ制御による表示画面を含む手段を用いた対話方式によって、眼鏡の各構成部材についての必要な事項を含む眼鏡注文に必要な眼鏡仕様を操作者が
決定していく眼鏡のオーダーメイドシステムであって、
　前記表示画面上で、予め用意された複数種類のベースデザインのフレームの中から任意の１つを選択し、この選択したベースデザインのフレームをもとにして、各種のフレームの種類、玉型及びパーツを含む眼鏡の各構成部材を任意に変更することによって、表示画面上で眼鏡注文者の好みに応じた最適な眼鏡仕様を決定して注文できるようにしたことを特徴とする眼鏡のオーダーメイドシステム。
２．コンピュータ制御による表示画面を含む手段を用いた対話方式によって、眼鏡の各構成部材についての必要な事項を含む眼鏡注文に必要な眼鏡仕様を操作者が決定していく眼鏡のオーダーメイドシステムであって、
　前記表示画面上で、予め用意された複数種類のベースデザインのフレームの中から任意の１つを選択するベースデザイン選択機能と、
　眼鏡注文者の肖像を取り込む肖像取込機能と、
　前記肖像取込機能により取り込まれた肖像に選択されたフレームの画像を重ねて、眼鏡を装用した肖像を前記表示画面上に表示する合成画像作成機能と、
　前記ベースデザイン選択機能を用いて選択したベースデザインのフレームをもとにして、各種のフレームの種類、玉型及びパーツを含む眼鏡の複数の構成部材のそれぞれについて表示画面上で必要な事項について変更、修正又は入力を行う１以上の変更機能と、
　表示画面上で得られた１以上の眼鏡の画像を含むデータを記憶する記憶機能と、
　前記記憶機能で記憶された眼鏡画像を含む１以上の眼鏡画像を表示画面上に表示して比較又は検討していずれかに決定するか又は決定せずに前記変更機能を行うステップに戻るかを決める比較検討機能と
を有し、
　前記ベースデザイン選択機能を用いてベースデザインのフレームを選択した後に、前記肖像取込機能、前記合成画像作成機能、前記１以上の変更機能、又は、前記比較検討機能のいずれか１以上の機能を操作者が任意に選択して行うことができるようにすることによって、ベースデザインのフレームの選択を行った後は、操作者が必要と考える手順または機能変更のみを行えるようにし、眼鏡注文者の自由意思を最大限に生かして迅速かつ適確な注文操作を行えるようにしたことを特徴とする眼鏡のオーダーメイドシステム。
・・・
４．前記１以上の変更機能は、フレーム種類の変更機能、玉型の入れ替え機能、玉型の修正機能、パーツの変更機能、パーツ位置の変更機能、アイサイズやレンズ間距離等のサイズを変更するサイズ変更機能、フレーム構成部品のカラーを変更するカラー変更機能、レンズカラーの変更機能、レンズ装用の背景を変更する装用シーンの変更機能、又はレンズ処方の入力機能のいずれか１以上を含むものであることを特徴とする眼鏡のオーダーメイドシステム。
・・・
６．前記眼鏡仕様が決定された後に、眼鏡製造に必要なデータを含むデータを有する発注チェックデータベースにアクセスしてその仕様の眼鏡の製造の可否、価格もしくは納期を含む眼鏡注文時に必要な情報を得る発注チェックアクセス機能を有することを特徴とする眼鏡のオーダーメイドシステム。
７．前記発注チェックアクセス機能を行って注文が決定された後、受注処理、受注した眼鏡の製造に必要なデータの処理及び眼鏡製造に必要な指図処理を含むデータを有する受注データベースにアクセスして発注を完了する発注アクセス機能を有することを特徴とする眼鏡のオーダーメイドシステム。」（明細書第４２頁第１行〜第４３頁第２９行参照）
　
（ｈ）図９の記載から、納期や価格等が表示画面上に表示されることが見てとれる。
　
　上記記載を総合勘案すると、引用例１には、次の発明（以下「引用発明１」という。）が記載されていると認められる。
　
「コンピュータ制御による表示画面を含む手段を用いた対話方式によって、眼鏡注文に必要な眼鏡仕様を操作者が決定していく眼鏡のオーダーメイドシステムであって、
　前記オーダーメイドシステムは、店頭対話システム１００と、この店頭対話システム１００に通信回線を通じて接続されるホストコンピュータ１１０と、このホストコンピュータ１１０に通信回線を通じて接続されるフレーム製造を担当する製造工場の端末装置１２１およびレンズ製造を担当する製造工場の端末装置１２２から構成され、
　前記店頭対話システム１００は、コンピュータ本体１０１と、表示画面１０１ａ等の出力装置と、入力キーボード１０１ｂもしくはマウス１０１ｃ等の入力装置とからなるコンピュータ装置をメインにし、さらに、このコンピュータ装置に眼鏡注文者の肖像画像を入力するためのデジタルカメラ、ＣＣＤカメラ等からなる肖像撮影装置１０２が設けられ、
　前記コンピュータ本体１０１には、
　眼鏡フレームの情報を格納したデータベースが含まれ、
　レンズ処方の入力機能と、予め用意された複数種類のベースデザインのフレームの中から任意の１つを選択するベースデザイン選択機能と、前記肖像取込機能により取り込まれた肖像に選択されたフレームの画像を重ねて、眼鏡を装用した肖像を前記表示画面１０１ａ上に表示する合成画像作成機能と、を有するプログラムソフトが格納され、
　フレーム形状等を含む眼鏡製造に必要なデータが通信回線を通じて前記ホストコンピュータ１１０に送信され、
　前記ホストコンピュータ１１０は、前記店頭対話システム１００から送信されたデータを解析して、製造可能と判断された場合には、各パーツの寸法の計算、価格や納期等の計算を行い、その結果を前記店頭対話システム１００に回答し、
　前記店頭対話システム１００は、前記ホストコンピュータ１１０から納期や価格等についての回答を受け取り、納期や価格等を表示画面上に表示し、オーダーする旨の決定がなされてその旨の入力がなされると、その旨の回答を前記ホストコンピュータ１１０に送信し、
　前記ホストコンピュータ１１０は、オーダー決定の回答を受け取ると、眼鏡製造に必要なデータが作成され、フレーム製造を担当する製造工場の端末装置１２１およびレンズ製造を担当する製造工場の端末装置１２２にフレームやレンズ製造に必要なデータおよび作業指示票を送る、眼鏡のオーダーメイドシステム。」
　　
（イ）原査定の拒絶の理由に引用され、本願の出願前に頒布された刊行物である特開平１１−１６７５８９号公報（以下「引用例２」という。）には、以下の技術事項が記載されている。
　
（ａ）「【請求項３】  ユーザが所望する眼鏡をユーザとの対話形式で自動的に選定する装置であって、
フレームに関する第１のデータベース及びレンズに関する第２のデータベースが予め格納されているメモリと、
顔の画像を取り込むための画像取り込み手段と、
ユーザの眼の検眼の結果を入力する検眼結果入力手段と、
前記メモリ内の第１のデータベースから、ユーザの操作により、特定のフレームを選択するフレーム選択手段と、
前記メモリ内の第２のデータベースから、ユーザの操作により、特定のレンズを選択するレンズ選択手段と、
前記選択されたフレームとレンズを前記画面上で前記顔の画像に合成する画像合成手段と、
前記合成した画像を表示するディスプレイと、
前記選択したフレームとレンズと検眼結果から、眼鏡作成用データを作成する手段と、
を具備することを特徴とする眼鏡自動選定装置。
【請求項４】  前記画像取り込み手段は、ユーザの正面の顔を撮影する位置に設置されたカメラである請求項１ないし３のいずれか１項に記載の眼鏡自動選定装置。
・・・
【請求項６】  前記画像取り込み手段は、顔の画像データを記憶した記憶媒体から画像データを読み取る読取手段である請求項１ないし３のいずれか１項に記載の眼鏡自動選定装置。
・・・
【請求項８】  検眼装置を具備し、この検眼装置が前記検眼結果入力手段に接続され、検眼の結果が自動的に入力される請求項１ないし６のいずれか１項に記載の眼鏡自動選定装置。
【請求項９】  前記検眼装置は、ユーザの眼の屈折異常矯正視力度数及び矯正視力を自動的に測定する請求項８に記載の眼鏡の自動選定装置。」
　
（ｂ）「【０００１】
【発明の属する技術分野】本発明は、ユーザが所望する眼鏡を自動的に選定する眼鏡自動選定装置及び、眼鏡自動選定装置を用いた眼鏡販売システムに係り、特に、眼鏡の専門員を必要とすることなく、ユーザが、対話形式で自ら所望する眼鏡を簡単に得ることができる眼鏡自動選定装置及び眼鏡販売システムに関する。なお、本発明における「眼鏡」は、度付きサングラス、カラーコンタクトを含む。」
　
（ｃ）「【００１４】画像取り込み手段２としては、カメラを装置に組み込み、ディスプレイ６に向いているユーザの正面の顔を撮影するようにすることができる。なお、カメラとしては、ユーザの正面の顔を撮影するだけでなく、斜め前からの顔を撮影するように左右に２台のカメラを配置したり、その他の角度から撮影するように配置することができる。また、正面以外の顔に対しても、同じ角度から撮影したフレームの画像を用意しておき、顔の画像と合成することにより、ユーザによるフレームの選択を多角的にすることができる。
【００１５】また、画像取り込み手段２としては、装置にカメラを組み込むことに限らず、予め画像データを入力したフロッピーディスクなどの媒体を読み込むことにより、顔の画像を得るようにすることもできる。検眼の結果は、別途、眼科医などにおいて行った結果を、ユーザの操作により装置に入力するようにすることができる。また、眼鏡自動選定装置に検眼装置を組み込んでおいて、この検眼装置の操作を対話形式でユーザが操作することもできる。この場合、検眼装置の検眼結果は、ユーザの手を介さずに、自動的に直接装置に入力することができる。」
　
（ｄ）「【００２２】同図において、１０は、眼鏡の自動選定に係る処理を制御するための中央処理装置（ＣＰＵ）である。１１は、ハードディスクドライブ（ＨＤＤ）、フレキシブルディスクドライブ（ＦＤＤ）等のメモリである。１２，１２ａ及び１２ｂは、それぞれユーザの顔写真を撮影するためのカメラ（デジタルカメラ）である。１３は、ユーザの指示を入力するためのキーボードである。１４は、同じくユーザの指示を入力するためのマウスである。１５は、眼鏡を購入しようとするユーザの眼を検眼するための検眼装置である。検眼装置１５は、ユーザの眼の屈折異常矯正視力度数及び矯正視力を自動的に測定する装置（自動屈折力測定装置）を有している。
【００２３】また、１６は、選定したフレーム及びレンズの表示、撮影した顔写真との合成画像の表示、ユーザとの対話を行うのに必要な情報等の表示を行うためのＣＲＴ等のディスプレイである。このディスプレイ１６の画面上にタッチパネル２０が配置され、ユーザがタッチすることにより、信号を生成する。１７はユーザの所望する条件を満たした眼鏡が選定された時に、顔と眼鏡の合成画像を写真として外部に出力するためのプリンタ（例えば昇華型プリンタ）である。このプリンタ１７は、眼鏡の注文が終了した時に、合成画像を含む請書なども出力する。
【００２４】１９は、ユーザが眼鏡の注文をしたときに、眼鏡作成用データを専用回線又は電話回線などの通信回線を介してメーカに送信するための通信手段である。１８は各ユニットを互いに接続するシステムバスを示す。メモリ１１には、先ず、本実施形態の眼鏡の自動選定処理を行うための手順を規定したプログラムが予め格納されている。
【００２５】また、メモリ１１には、眼鏡のフレームに関する第１のデータベースＤＢ１が記憶される。この第１のデータベースＤＢ１には、フレームごとに、材質、形状、ブランド、メーカ、価格等のデータが記憶される。メモリ１１には、更に、眼鏡のレンズに関する第２のデータベースＤＢ２が記憶される。この第２のデータベースＤＢ２には、レンズごとに、材質、形状、度数、カラー、メーカ、価格等が記憶される。さらに、フレームの部分的な形状である各種パーツのデータベースも予め格納されている。
【００２６】これらのプログラム及びデータベースのメモリ１１への格納は、例えばＣＤ−ＲＯＭ等の記録媒体を介してキーボード１３のキーを操作することにより行われる。さらに、メモリ１１には、後述するように、ユーザの顔の画像のデータ及び検眼データが登録されるようになっており、また、必要に応じてユーザのパーソナルデータも登録されるようになっている。これらのデータのメモリ１１への登録は、ユーザによるディスプレイ１６の画面上のタッチパネル２０、キーボード１３、マウス１４の操作により行われる。また、メモリ１１には、予めモデルの顔の画像が格納されている。」
　
（ウ）原査定の拒絶の理由に引用され、本願の出願前に頒布された刊行物である特開２００１−３３０８０６号公報（以下「引用例３」という。）には、以下の技術事項が記載されている。
　
（ａ）「【請求項１】  個人が所有のパーソナルコンピュータのウエブブラウザを用いて眼鏡店が開設するホームページにインターネットを経由してアクセスし、該ホームページで提供された眼鏡フレームを選択して、選択された眼鏡フレームを顔画像と合成してモニター画面上に表示させることを特徴とする眼鏡フレーム合成システム。
・・・
【請求項３】  前記眼鏡店に来客の顧客の顔を該眼鏡店に設置のテレビカメラ又は所定箇所に設置のテレビカメラを用いて携帯用の記録媒体に保存し、前記ホームページで提供された眼鏡フレームを前記モニター画面上で選択すると共に前記記録媒体に保存されている前記顔画像を読み出して、前記顔画像と前記眼鏡フレームとを合成させることを特徴とする請求項１又は請求項２に記載の眼鏡フレーム合成システム。」
　
（ｂ）「【０００１】
【発明の属する技術分野】本発明は、顧客が自宅にいながらにして眼鏡フレームの試着を行うことができる眼鏡フレーム合成システムに関する。」
　
（ｃ）「【００３９】
【発明の実施の形態１】図１において、１は個人が所有のパーソナルコンピュータ、２はモニター、３はキーボード、４はマウスである。パーソナルコンピュータ１はプロバイダ５を介してインターネット６に接続されている。
【００４０】また、７は眼鏡店であり、眼鏡店７には顧客管理データベースサーバ８、顔画像情報保存データベースサーバ９、眼鏡フレーム情報保存データベースサーバ１０、ウエブサーバ１１、テレビカメラ１２が設けられている。各サーバ８〜１１はＬＡＮで接続されており、テレビカメラ１２は顔画像情報保存データベースサーバ９に接続されている。なお、図６に示すように、ＣＣＤカメラ２０を半円弧溝２１に回動可能に設置し、このＣＣＤカメラ２０を顧客の顔２２を中心にして１８０°回転させつつ、顔２２をこのＣＣＤカメラ２０を用いて撮像し、この三次元形状の顔画像をデータベースサーバ９に保存しておけば、眼鏡フレームを製作する際に、その顧客がその眼鏡フレームを装用したときのフィッティングデータとして使用することができる。」
　
（ｄ）「【００５２】更に、この発明では、自分の顔画像１５に選択した眼鏡フレーム１４を試着させる構成としたが、図３に示すように、個人が眼鏡店７のホームページにアクセスして、眼鏡フレーム１４の試着コーナーを選択すると、複数個の眼鏡フレーム１４と共に、モデルの顔画像１６、髪型１７等がモニター画面２Ａに表示され、眼鏡フレーム１４、モデルの顔画像１６、髪型１７等を逐次選択し、合成を表示すると、選択された眼鏡フレーム１４、モデルの顔画像１６、髪型１７の顔画像がモニター画面２Ａ上に表示される。更に、背景選択画面を設け、背景を選択させて、画面２Ａ上に選択した眼鏡フレームを試着した顔画像の背景として、例えば、スキー場の景色、海水浴場の景色等を表示させるようにしても良い。」
　
（エ）原査定の拒絶の理由に引用され、本願の出願前に頒布された刊行物である特開２００２−７８６７９号公報（以下「引用例４」という。）には、以下の技術事項が記載されている。
　
（ａ）「【請求項１】  人間が入ることができる一定の空間からメガネに関する情報を送信する装置であって、
メガネを外した状態における矯正視力の測定を行う視力測定手段と、
前記視力測定手段によって測定されたデータを情報処理し、有人のメガネ処理センタに送信する通信手段と、
メガネに関する指示を表示および／または音声で伝える出力手段と、
メガネに関する指示を入力する入力手段とを含む、無人メガネ情報発信装置。
【請求項２】  人間が入ることができる一定の空間からメガネに関する情報を送信する装置であって、
人間が一定の空間に入ったことを検知する手段と、
前記手段によって準備され、空間に入った利用者の顔を少なくとも２方向から撮影し、角膜頂点部と耳の位置を測定し、撮影した画像を実像に近くなるように補正してから立体化する手段と、
利用者が選択したメガネフレームを選定する手段と、
選定したメガネフレームを利用者の立体画像に反映させ、利用者が装用したイメージを表示する手段とメガネに関する指示を表示および／または音声で伝える出力手段と、
メガネに関する指示を入力する入力手段とを含む、無人メガネ情報発信装置。
【請求項３】  さらに、既に使用しているメガネの度数を測定する既使用レンズの度数測定手段を含む、請求項１または請求項２に記載の無人メガネ情報発信装置。
・・・
【請求項５】  視力測定手段は、自動的に裸眼視力を測定し、裸眼視力の矯正に必要なレンズ度数を算出する視力測定装置を含む、請求項１、請求項３または請求項４に記載の無人メガネ情報発信装置。
【請求項６】  通信手段は、前記既使用レンズの度数測定手段によって測定されたデータを情報処理し、有人のメガネ処理センタに送信する手段を含む、請求項１ないし請求項５のいずれかに記載の無人メガネ情報発信装置。
・・・
【請求項８】  出力手段および入力手段には、タッチパネルを含む、請求項１ないし請求項７のいずれかに記載の無人メガネ情報発信装置。
【請求項９】  入力手段にはカメラを含む、請求項１ないし請求項８のいずれかに記載の無人メガネ情報発信装置。」
　
（ｂ）「【０００１】
【発明の属する技術分野】この発明は、職住近接した比較的近い場所において、何人でも検眼をすることができ、必要に応じメガネを購入することができる、無人のメガネ情報発信方法およびその装置に関する。」
　
（ｃ）「【０００９】利用者端末１０１は、パーソナルコンピュータ等から構成され、購入者であるユーザとの間のインタフェースとなる入出力装置であり、具体的には、タッチパネル１０７、デジタルカメラ１０８を含む入力手段１０６、並びに、液晶もしくはＣＲＴディスプレイ、ＰＣモニタ１０９、プリンター１１２、スピーカを含む出力手段１０５によって実現される。テキストデータ等の情報入力装置としてはタッチパネル１０７が用意されているが、マウス、トラックボール、ジョイスティックなどのポインティングデバイス、キーボード、スイッチなどの多種多用な入力装置を用いることができる。さらに、画像情報の入力手段としてデジタルカメラ１０８が用意されているが、テレビカメラ、ビデオカメラ、デジタルスチルカメラなど画像情報をデジタイズして入力できる装置であればもちろん良い。また、必要に応じて、フラッシュ等の補助光を提供する装置を設けてもよい。また、画像あるいはその他の情報を記憶可能な記憶装置としては、ハードディスクおよびＣＤ−ＲＯＭドライブが用意されており、ＣＤに記憶された画像情報あるいはプログラムなどを利用できるようになっている。もちろん、ＤＶＤ、ＭＯ、あるいはメモリユニットなどの記憶媒体用の装置で構成することも可能である。さらに、この利用者端末１０１は、コンピュータネットワーク（ネットワーク）としてインターネットに接続できるようになっており、ネットワークを介して画像情報あるいはソフトウェアなどの情報を授受できるようになっている。また、利用者端末１０１は、メガネ処理センタ２のサーバとの間のインタフェースとしてＷＷＷブラウザを有する。利用者端末１０１がパーソナルコンピュータである場合には、ＷＷＷブラウザは、そのメモリに格納されるプログラムとして実現される。
【００１０】度数測定装置１０２は、掛けているメガネを所定の場所に置くようなメガネ載置台が形成され、その上にレンズを置くと、レンズをメータ光学中心に合わせることにより、レンズメータがそのメガネレンズの度数を測定するように構成されている。
【００１１】視力測定装置１０３は、両眼の屈折力を自動的に他覚的且つ自覚的に測定する装置であって、自動的に裸眼視力を測定し、裸眼視力の矯正に必要なレンズ度数を演算することができるよう構成されている。その一例を示せば図１ないし３に示されるようなものであり、この視力測定装置１０３は、ゴーグル状の顔当て１０３ａが設けられ、被検眼の位置をほぼ固定することができるように構成され、ジョイステック１０３ｂおよび応答スイッチ１０３ｃが設けられ、被検者が、タッチパネル１０７、ジョイステック１０３ｂおよび応答スイッチ１０３ｃを操作あるいはタッチすることにより、所定の入力を行うことができるように構成されている。この視力測定装置１０３において、遠用・近用測定（但し、近用は下方視ではなく水平視）を次のように行う。
ａ．遠用：水平視、３〜５ｍ相当の内方視
ｂ．近用：水平視、３５ｃｍ相当（ＰＤ＝６４ｍｍのとき）の内方視自覚検眼項目は、次の通りである。
視力測定
ａ）遠用（片眼、両眼）：裸眼視力、矯正視力、０．５Ｄ雲霧時視力
ｂ）近用（両眼のみ）：加入度入り視力
両眼Ｒ／Ｇテスト（両眼バランス：偏光２色相当）
近用度数測定（クロスシリンダー法）
そして、左右眼の自覚検査の進行を行うと同時に使用者のインストラクションとして、別途利用者端末１０１において、被検者を誘導するように形成されている。」
　
（ｄ）「【００２８】「視力測定」ステップにおいて、視力の測定を終えた利用者は、次に「レンズ選び」に移る。視力測定ステップにおいて測定した度数を反映させた３種類程度のレンズをＰＣモニタ１０９画面に表示し、価格や厚みなどレンズの特徴などの条件から利用者に購入したいレンズを選定させる。さらに、視力測定ステップにおいて測定された度数を反映したレンズを横から見た画像をＰＣモニタ１０９画面に表示し、レンズの厚み比較を行い、利用者にレンズの確認をさせる。さらに、視力測定ステップにおいて測定された利用者の立体顔画像に、選択したフレームと各種レンズを装着したイメージを重ね合わせ、実際にレンズを取り付けた感じを利用者にＰＣモニタ１０９画面によって表示する。通常遠視の場合目が大きく見え、近視の場合は目が小さく見えるので、そのように画像処理がなされている。また、画像を回転させて、選択したレンズの厚み等の印象も併せて利用者に見てもらうように設定されている。
【００２９】既に使用しているメガネの度数を測定する既使用レンズの度数測定装置１０２によって入力されたデータならびに利用者たる被検者がメガネを外した状態における矯正視力の測定を自動的に行う視力測定装置１０３によって決定されたデータは、通信手段１０４により広域コンピュータネットワーク（インターネット）を介して、他所にある有人のメガネ処理センタ２に測定したメガネに関する各種情報を送信するように構成されている。
【００３０】次に、タッチパネル１０７の初期画面に表示された「メガネ仮想体験」を利用者が選択すれば、引き続き、メガネ仮想体験に進む。まず、利用者を一定の場所に座らせ、デジタルカメラ１０８により二方向からその顔を撮影し、さらに、角膜頂点部と耳の位置を測定し、撮影した画像を実像に近くなるように補正しながら立体化する。次に、ＰＣモニタ１０９画面上に、利用者の顔を立体的に表示させる。次に、ＰＣモニタ１０９、タッチパネル１０７上および音声において利用者に対し質問を行い、その答えをタッチパネル１０７において回答させるという形式により利用者が掛けてみたいメガネフレームを選定させる。まず、ＰＣモニタ１０９画面にメガネフレームの画像を表示させるよう利用者端末１０１が制御し、素材、デザイン、形、顔型等によってフレームの絞り込みを行うことができるように構成されている。次に選定したフレームを利用者の立体顔画像に反映させ、利用者が装用したイメージをＰＣモニタ１０９画面に表示するよう利用者端末１０１が制御する。このときメガネレンズは無色だけでなく、カラーも選択することができる。利用者は、ＰＣモニタ１０９画面に映し出されたフレームを掛けた画像の中から好みのものを選び出し、フレームの選択を行う。また、必要に応じ利用者は選定した画像を、利用者端末１０１の制御の下に出力手段１０５によって所定のプリンタ１１２によりプリントすることができる。」
　
（オ）原査定の拒絶の理由に引用され、本願の出願前に頒布された刊行物である特開２０００−３１４８５５号公報（以下「引用例５」という。）には、以下の技術事項が記載されている。
　
（ａ）「【請求項１】  ユーザーの調整により変形した測定用フレームから、形状に関するデーターを取り込むデーター取込手段と、
取り込んだ形状データーに基づいて、眼鏡掛け具合データーを作成する眼鏡掛け具合データー作成手段と、
を具備することを特徴とする眼鏡フィッティング装置。
【請求項２】  前記眼鏡掛け具合データー作成部により作成した眼鏡掛け具合データーを外部へ送信する送信部を具備する請求項１に記載の眼鏡フィッティング装置。
【請求項３】  前記眼鏡掛け具合データーを記録媒体に記録して出力するデーター記録部を具備する請求項１又は２に記載の眼鏡フィッティング装置。
【請求項４】  前記眼鏡掛け具合データーをプリントアウトするプリンターを具備する請求項１ないし３のいずれか１項に記載の眼鏡フィッティング装置。
・・・
【請求項７】  請求項２に記載の眼鏡フィッティング装置と、
請求項６に記載の測定用フレームと、
通信回線を介して前記眼鏡フィッティング装置と接続され、送信されてきた前記眼鏡掛け具合データーを受信する装置を具備し、受信した眼鏡掛け具合データーに基づいて眼鏡の調整を行う加工センターと、
から構成されることを特徴とする眼鏡作成システム。」
　
（ｂ）「【０００１】
【発明の属する技術分野】本発明は、眼鏡を、ユーザーが所望する眼鏡の掛け具合に調整するための眼鏡掛け具合データーを自動的に取得する眼鏡フィッティング装置及び、この眼鏡フィッティング装置を用いた眼鏡作成システム、この眼鏡フィッティング装置に用いる測定用フレーム、及び記録媒体に関する。」
　
（ｃ）「【００１４】図１に示した眼鏡フィッティング装置は、上記の眼鏡自動選定装置の機能を組み込んだものである。なお、眼鏡自動選定装置を組み込まず、本発明に係る眼鏡フィッティング機能のみを具備する装置も有効なものである。図示した眼鏡作成システムは、店舗に配置された眼鏡フィッティング装置１０と、測定用フレーム５０と、眼鏡フィッティング装置１０と通信回線７０により接続された加工センター８０とから構成される。
【００１５】最初に、図１に示した眼鏡フィッティング装置１０と眼鏡作成システムの構成と、概略の動作を説明する。ユーザーは、眼鏡を作ろうとするとき、眼鏡店へ出向いて、眼鏡フィッティング装置１０に組み込まれた眼鏡自動選定装置の機能を動作させて、検眼結果を入力し、ユーザーの希望のレンズ、フレームを選択する。眼鏡自動選定機能は、これにより、眼鏡作成用データーを作成する。なお、眼鏡自動選定機能を省略した場合は、眼鏡の作成は、従来と同様に店員との対話により行われる。
【００１６】その後、眼鏡フィッティング機能を動作させて、ディスプレイ１１に表示される指示に従って、以下に説明する操作を行う。ユーザーは、測定用フレーム５０を実際に顔に掛けて、自分の所望の掛け具合に調整をする。測定用フレーム５０は、調整により変形し、その状態を維持するように構成されている。変形した測定用フレーム５０を、眼鏡フィッティング装置１０のデーター取込装置４０に掛ける。
【００１７】データー取込装置４０では、測定用フレーム５０がスキャナテーブル４１の上に置かれる。スキャナテーブル４１がスキャナドライバ４２の駆動により回転する間、上部スキャナ４３と、下部スキャナ４４により、回転する測定用フレーム５０が様々な角度から撮影される。各スキャナ４３，４４の撮影データーは、ＣＰＵ１４に出力される。
【００１８】ＣＰＵ１４は、上述の、先願に係る眼鏡作成装置の機能と、本発明に係る眼鏡フィッティング装置の機能を実現する。ＣＰＵ１１は、眼鏡フィッティング装置１０の各部の制御を行うと共に、データー取込装置４０から出力された撮影データーに基づいて、眼鏡掛け具合データーを作成する。作成した眼鏡掛け具合データーは、通信部１５から、通信回線７０を介して加工センター８０へ送信される。」
　
（カ）本願の出願前に頒布された刊行物である特開平１１−１２０２１３号公報（以下「引用例６」という。）には、以下の技術事項が記載されている。
　
（ａ）「【請求項１】  眼鏡を掛けて見たときの視野画像であって、状況の異なる視野画像を生成または選択して出力可能な画像処理部を有する眼鏡の疑似体験装置。」
　
（ｂ）「【０００１】
【発明の属する技術分野】本発明は、眼鏡を掛けた状態を疑似体験できる装置、方法およびプログラムを記録した記録媒体に関するものである。」
　
（ｃ）「【００１８】
【発明の実施の形態】以下に図面を参照しながら、本発明をさらに詳しく説明する。図１に、本発明の眼鏡の疑似体験システムの一例を示してある。本例の疑似体験システム１は、パーソナルコンピュータ（パソコン）１０を中心に構成されており、視野画像を表示可能な画像表示装置としてＣＲＴ２１およびヘッドマウントディスプレイ（ＨＭＤ）２２が用意されている。もちろん、視野画像をスクリーンに投影したり、レーザー照射するなどの他の方法で表示することも可能である。また、情報入力装置としてはキーボード２３が用意されているが、マウス、トラックボール、ジョイスティックなどのポインティングデバイス、タッチパネル、スイッチなどの多種多用な入力装置を用いることができる。さらに、画像入力装置としてＣＣＤカメラ２４が用意されているが、テレビカメラ、ビデオカメラ、デジタルチルカメラなど画像情報をデジタイズして入力できる装置であればもちろん良い。また、画像あるいはその他の情報を記憶可能な記憶装置としては、ハードディスク２５およびＣＤ−ＲＯＭドライブ２６が用意されており、ＣＤ２７に記憶された画像情報あるいはプログラムなどを利用できるようになっている。もちろん、ＤＶＤ、ＭＯ、あるいはメモリユニットなどの記憶媒体用の装置で構成することも可能である。さらに、本例のパソコン１０は、コンピュータネットワーク（ネットワーク）としてインターネットに接続できるようになっており、ネットワークを介して画像情報あるいはソフトウェアなどの情報を授受できるようになっている。
【００１９】図２に、本例の疑似体験システム１の機能構成をブロック図を用いて示してある。疑似体験システム１の中核であるパソコン１０は、まず、キーボード２３から疑似体験システム１を操作する命令を受け付けると共に、ユーザーの個人情報、視野画像の表示パラメーターなどのデータあるいは選択命令を受け付け可能な選択入力機能１１と、ＣＣＤカメラ２４からデジタイズされた画像データの入力を受け付け可能な画像入力機能１２とを備えており、これらの入力データに従って画像処理を行い適当な視野画像を選択または形成（生成）して出力可能な画像処理機能１３を備えている。また、疑似体験システム１のソフトウェア、画像情報、および選択して表示可能な視野画像のサンプルなどを記憶可能な記憶部１４を備えており、この内容は、ＣＤ−ＲＯＭ２７あるいは通信機能１５を通じてインターネットから随時アップデートすることができる。画像処理機能によって生成または選択された視野画像は表示出力部１６からＣＲＴ２１あるいはＨＭＤ２２に出力され、表示される。これらの各機能をパソコン１０で実際に実現しても良く、また、パソコン１０でブラウザを起動し、インターネットを介して所定のアドレスのＷＷＷサーバーとコネクションを張り、同等の機能をパソコン１０を経由して提供することも可能である。本例の画像処理機能１３は、さらに、顔画像などと合成して表示するためのレンズ画像およびフレーム画像を選択あるいは生成する機能と、選択入力機構から入力された個人情報に基づいて設計パラメータを設定するなどの機能も備えている。
【００２０】図３に、本例の眼鏡の疑似体験システム１の処理の概略をフローチャートを用いて示してある。本例の疑似体験システム１は、大きく分けて２のモードが選択できるようになっている。１つのモードは視野画像を示して主に眼鏡レンズの選択するためのモードであり、ステップ５１で視野画像を選択すると、ステップ５２で個人情報が入力可能となり、ステップ５３でそれに係わるレンズの設計パラメータが設定される。これに続いて、あるいは前後してステップ５４でステップ５５に移行し表示用のフレームを選択することも可能である。さらに、ステップ５６で表示パラメータが入力可能となり、ステップ５７では、設計パラメータおよび表示パラメータに基づいて画像処理が行われて視野画像が生成され、ステップ５８で表示される。ステップ５７の画像処理では、記憶部１４に用意された画像データから設計パラメータあるいは表示パラメータに合致する視野画像を選択して表示処理することも可能である。
【００２１】一方、ステップ５１で顔画像を選択すると主にフレームを選択するためのモードとなる。ステップ６０でユーザーの顔画像が入力可能となり、これに前後したステップ６１で眼鏡フレームを選択することができる。さらに、ステップ６２で眼鏡フレーム（フレーム）と合わせて表示するレンズが選択でき、レンズ選択では、上記と同様にステップ６３で個人情報が入力でき、ステップ６４でその情報に基づき設計パラメータが生成される。顔画像などの入力が終わると、ステップ５６に移行して表示パラメータが入力可能となり、画像処理５７で顔画像にレンズおよびフレームの画像が合成されて、実際にユーザーがフレームを装着した状態の画像が生成される。」
　
（ｄ）「【００２７】例えば、本例の疑似体験システムでは、図６に示すような眼鏡を掛けたときに現れる画像の変形（本例では歪み）を視野像として確実に表現することができる。また、図７に示すように、眼鏡を掛けて書籍３６を見たときに、ある部分３４が明瞭になり、その一方である部分３５がボケるといった、レンズの収差によって発生する部分的な画像のボケも視野像として確実に表現してユーザーに理解してもらうことができる。同様に、眼鏡を掛けたときに色によって像がずれることなど、様々な特性を細かなところまで十分に表現することができる。」
　
（２）対比
　
　本件補正発明と引用発明１とを対比する。
　
　引用発明の「コンピュータ制御による表示画面を含む手段を用いた対話方式によって、眼鏡注文に必要な眼鏡仕様を操作者が決定していく眼鏡のオーダーメイドシステム」は、「店頭対話システム１００と、この店頭対話システム１００に通信回線を通じて接続されるホストコンピュータ１１０と、このホストコンピュータ１１０に通信回線を通じて接続されるフレーム製造を担当する製造工場の端末装置１２１およびレンズ製造を担当する製造工場の端末装置１２２から構成され」ているので、引用発明の「コンピュータ制御による表示画面を含む手段を用いた対話方式によって、眼鏡注文に必要な眼鏡仕様を操作者が決定していく眼鏡のオーダーメイドシステム」と、本件補正発明の「公共の場所に設置され通信ネットワークに接続されたタッチパネル操作方式の汎用の街頭情報端末を利用し、ユーザーが所望する眼鏡を３Ｄ画像によりユーザーとの対話形式で選定するシステム」とは、「通信ネットワークに接続された情報端末を利用し、ユーザーが所望する眼鏡を画像によりユーザーとの対話形式で選定するシステム」であるという点で一致する。
　引用発明の「眼鏡フレームの情報を格納したデータベース」と、本件補正発明の「眼鏡フレーム及び眼鏡レンズに関する多数の３Ｄ画像データとユーザー又はモデルの３Ｄ顔画像データとを格納する３Ｄデータベース」とは、「眼鏡フレームに関するデータを格納したデータベース」であるという点で一致する。
　引用発明の「眼鏡注文者の肖像画像を入力するためのデジタルカメラ、ＣＣＤカメラ等からなる肖像撮影装置１０２」と、本件補正発明の「眼鏡フレーム及び眼鏡レンズとユーザー又はモデルの顔との３Ｄ画像を取込みメモリに格納する３Ｄ画像取込手段」とは、「ユーザーの顔の画像を取込む画像取込手段」であるという点で一致する。　
　引用発明の「レンズ処方」とはレンズ度数の情報を含むものであるから、引用発明の「レンズ処方の入力機能」を有する「プログラムソフトが格納され」た「コンピュータ本体１０１」と、本件補正発明の「レンズ度数を含むユーザー視力に関する検眼データを入力する検眼結果入力手段」とは、「レンズ度数を入力する入力手段」であるという点で一致する。　
　引用発明の「予め用意された複数種類のベースデザインのフレームの中から任意の１つを選択するベースデザイン選択機能」を有する「プログラムソフトが格納され」た「コンピュータ本体１０１」と、本件補正発明の「３Ｄデータベースより特定の眼鏡フレームを選択する３Ｄフレーム選択手段」とは、「予め用意された複数種類のベースデザインのフレーム」の情報は「データベース」に格納されているので、「データベースより特定の眼鏡フレームを選択するフレーム選択手段」であるという点で一致する。　
　引用発明の「肖像取込機能により取り込まれた肖像に選択されたフレームの画像を重ねて、眼鏡を装用した肖像を前記表示画面１０１ａ上に表示する合成画像作成機能」を有する「プログラムソフトが格納され」た「コンピュータ本体１０１」と、本件補正発明の「選択された眼鏡フレーム及び眼鏡レンズを前記３Ｄ顔画像に合成する３Ｄ画像合成手段」とは、「選択された眼鏡フレームを前記顔画像に合成する画像合成手段」であるという点で一致する。　
　引用発明の「表示画面１０１ａ」は、「合成画像作成機能」により作成された「眼鏡を装用した肖像」を表示するものであるから、引用発明の「表示画面１０１ａ」と、本件補正発明の「３Ｄ画像合成手段で合成された３Ｄ画像の移動、回転、拡大、及び縮小操作による全方位からの眼鏡装着具合の確認、ユーザー視点で周囲を見渡す視点操作による眼鏡度数の確認、及びアバター３Ｄ画像による眼鏡装着時のアニメーション表示が可能な３Ｄ眼鏡装着シミュレーション画像を表示するタッチパネル操作方式のディスプレイ」とは、「画像合成手段で合成された画像による眼鏡装着具合の確認が可能な眼鏡装着シミュレーション画像を表示するディスプレイ」であるという点で一致する。　
　引用発明の「ホストコンピュータ１１０」は、店頭対話システム１００から送信された、フレーム形状等を含む眼鏡製造に必要なデータを解析して、フレーム製造を担当する製造工場の端末装置１２１およびレンズ製造を担当する製造工場の端末装置１２２にフレームやレンズ製造に必要なデータおよび作業指示票を送るものであるので、引用発明の「ホストコンピュータ１１０」と、本件補正発明の「選択された眼鏡フレーム及び眼鏡レンズと前記検眼データとから眼鏡作成用データを作成する眼鏡作成用データ作成手段」とは、「選択された眼鏡フレームから眼鏡作成用データを作成する眼鏡作成用データ作成手段」であるという点で一致する。
　引用発明の「作業指示票」は、本件補正発明の「眼鏡注文書」に相当する。
　引用発明の「コンピュータ制御による表示画面を含む手段を用いた対話方式によって、眼鏡注文に必要な眼鏡仕様を操作者が決定していく眼鏡のオーダーメイドシステム」は、オーダー決定の回答を受け取ると、フレーム製造を担当する製造工場の端末装置１２１およびレンズ製造を担当する製造工場の端末装置１２２にフレームやレンズ製造に必要なデータおよび作業指示票を送るものであるので、本件補正発明の「公共の場所に設置され通信ネットワークに接続されたタッチパネル操作方式の汎用の街頭情報端末を利用し、ユーザーが所望する眼鏡を３Ｄ画像によりユーザーとの対話形式で選定するシステム」とは、「最終的な装着具合を確認したユーザーにより選択され、前記眼鏡作成用データ作成手段により作成された眼鏡作成用データを基に作成された」「眼鏡注文書」を「眼鏡メーカーへ通信ネットワークを介して伝送する」通信手段を有するという点で一致する。
　引用発明の「納期や価格等を表示画面上に表示」することと、本件補正発明の「ユーザーに渡される注文請書をプリントアウトする」こととは、価格をユーザーに提示するという点で一致する。
　
　
　よって、本件補正発明と引用発明１とは、
「通信ネットワークに接続された情報端末を利用し、ユーザーが所望する眼鏡を画像によりユーザーとの対話形式で選定するシステムであって、
　眼鏡フレームに関するデータを格納したデータベースと、
　ユーザーの顔の画像を取込む画像取込手段と、
　レンズ度数を入力する入力手段と、
　ユーザーの操作に応じ、
　前記データベースより特定の眼鏡フレームを選択するフレーム選択手段と、
　前記選択された眼鏡フレームを前記顔画像に合成する画像合成手段と、
　前記画像合成手段で合成された画像による眼鏡装着具合の確認が可能な眼鏡装着シミュレーション画像を表示するディスプレイと、
　前記選択された眼鏡フレームから眼鏡作成用データを作成する眼鏡作成用データ作成手段と、
　前記ディスプレイに表示された眼鏡装着シミュレーション画像を操作して最終的な装着具合を確認したユーザーにより選択され、前記眼鏡作成用データ作成手段により作成された眼鏡作成用データを基に作成された眼鏡注文書を眼鏡メーカーへ通信ネットワークを介して伝送する通信手段と、
　ユーザーに価格を提示する手段と、を備える画像による眼鏡自動選定システム。」の点で一致し、次の点で相違する。
　
（相違点１）
　「情報端末」が、本件補正発明では「公共の場所に設置され」た「汎用の街頭情報端末」であるのに対して、引用発明１ではこのことが明らかでない点。
　
（相違点２）
　「情報端末」が、本件補正発明では「タッチパネル操作方式」であるのに対して、引用発明１ではこのことが明らかでない点。
　
（相違点３）
　「画像」が、本願補正発明では「３Ｄ画像」であるのに対して、引用発明１ではこのことが明らかでない点。
　
（相違点４）
　「データベース」が、本件補正発明では「眼鏡フレーム及び眼鏡レンズに関する多数の３Ｄ画像データとユーザー又はモデルの３Ｄ顔画像データとを格納」したものであるのに対して、引用発明１では「眼鏡フレームに関するデータを格納した」ものである点。
　　
（相違点５）
　「画像取込手段」が、本件補正発明では「眼鏡フレーム及び眼鏡レンズとユーザー又はモデルの顔との３Ｄ画像を取込みメモリに格納する」ものであるのに対して、引用発明１では「ユーザーの顔の画像を取込む」ものである点。
　
（相違点６）
　レンズ度数を入力する入力手段が、本件補正発明では「レンズ度数を含むユーザー視力に関する検眼データを入力する検眼結果入力手段」であるのに対して、引用発明１ではこのことが明らかでない点。
　
（相違点７）
　本件補正発明は「３Ｄレンズ選択手段」および「３Ｄ顔画像選択手段」を有するのに対して、引用発明１ではこのことが明らかでない点。
　
（相違点８）
　「画像合成手段」が、本件補正発明では「眼鏡フレーム及び眼鏡レンズを」「３Ｄ顔画像に合成する」ものであるのに対して、引用発明１では「眼鏡レンズ」を「３Ｄ顔画像に合成する」ことが明らかでない点。
　
（相違点９）
　「ディスプレイ」が、本件補正発明では「３Ｄ画像合成手段で合成された３Ｄ画像の移動、回転、拡大、及び縮小操作による全方位からの眼鏡装着具合の確認、ユーザー視点で周囲を見渡す視点操作による眼鏡度数の確認、及びアバター３Ｄ画像による眼鏡装着時のアニメーション表示が可能」であるのに対して、引用発明１ではこのことが明らかでない点。
　
（相違点１０）
　「ディスプレイ」が、本件補正発明では「タッチパネル操作方式」であるのに対して、引用発明１ではこのことが明らかでない点。
　
（相違点１１）
　「眼鏡作成用データ作成手段」が、本件補正発明では「選択された眼鏡フレーム及び眼鏡レンズと」「検眼データとから眼鏡作成用データを作成する」ものであるのに対して、引用発明１では「眼鏡レンズと」「検眼データとから眼鏡作成用データを作成する」ことが明らかでない点。
　
（相違点１２）
　「眼鏡注文書」が、本件補正発明では「眼鏡販売店又は眼鏡メーカー」へ伝送されるのに対して、引用発明１では「眼鏡販売店」へ伝送されることが明らかでない点。
　
（相違点１３）
　「ユーザーに価格を提示する手段」が、本件補正発明では「眼鏡注文書を基にユーザーに渡される注文請書をプリントアウトする付属サービス手段」であるのに対して、引用発明１では「表示画面１０１ａ」である点。
　
（相違点１４）
　本件補正発明は「３Ｄ画像取込手段で前記３Ｄ画像データを取り込むための記録媒体からの読み取り」をする「付属サービス手段」を備えるのに対して、引用発明１ではこのことが明らかでない点。
　
（３）判断
　上記相違点１について検討する。
　「情報端末」を「公共の場所に設置」すること、および、該「情報端末」を「汎用の街頭情報端末」とすることは、当業者が必要に応じて適宜なし得ることである。
　
　上記相違点２について検討する。
　ユーザが所望する眼鏡をユーザとの対話形式で自動的に選定する装置において、情報端末をタッチパネル操作方式とすることは、例えば引用例２に記載されるように周知であって、当業者が容易に想到しうることである。
　
　上記相違点３について検討する。
　必要に応じメガネを購入することができる、無人のメガネ情報発信装置において、利用者の立体顔画像に、選択したフレームと各種レンズを装着したイメージを重ね合わせ、ＰＣモニタ画面によって表示すること、すなわち、眼鏡フレーム及び眼鏡レンズをユーザーの３Ｄ顔画像に合成して表示することは、例えば引用例４に記載されるように周知であるから、引用発明１の画像を３Ｄ画像とすることは当業者が容易に想到しうることである。
　
　上記相違点４について検討する。
　引用例２には、ユーザが所望する眼鏡をユーザとの対話形式で自動的に選定する装置において、フレームに関する第１のデータベース及びレンズに関する第２のデータベースが予め格納されているメモリを備えていること、および、前記メモリには、ユーザの顔の画像のデータ及び検眼データが登録されることが記載されており、また、引用例３には、眼鏡フレームの試着を行うことができる眼鏡フレーム合成システムにおいて、顧客の顔の三次元形状の顔画像をデータベースサーバに格納することが記載されているので、引用発明１において、データベースに眼鏡フレームに関する画像データとともに眼鏡レンズに関する画像データとユーザーの顔画像データを格納することは当業者が容易に想到しうることである。さらに、引用例３には、顧客の顔画像の他にモデルの顔画像が選択可能であることが記載されており、引用発明１において、モデルの顔画像データも格納することは当業者が容易に想到しうることである。
　
　上記相違点５について検討する。
　引用例２には、ユーザが所望する眼鏡をユーザとの対話形式で自動的に選定する装置において、顔の画像を取り込むための画像取り込み手段を有することが記載されており、引用例５には、眼鏡作成システムにおいて、フレームを撮影して撮影データを取り込むことが記載されているので、引用発明１において、眼鏡フレーム及びユーザーの顔の画像を取込むことは当業者が容易に想到しうることである。また、引用例２には、画像取り込み手段が顔の画像データを記憶した記憶媒体から画像データを読み取る読取手段であることも記載されており、引用例４には、メガネレンズの度数を測定する度数測定装置、すなわち、眼鏡レンズのデータを取り込む手段を有することも記載されているので、記憶媒体から顔の画像データとともに眼鏡フレーム及び眼鏡レンズの画像データを取り込むようにすることは、当業者が必要に応じて適宜なし得ることである。さらに、眼鏡フレーム及び眼鏡レンズとユーザーの顔の画像をメモリに格納することも当業者が必要に応じて適宜なし得ることである。
　
　上記相違点６について検討する。
　引用例２には、ユーザが所望する眼鏡をユーザとの対話形式で自動的に選定する装置において、ユーザの眼の屈折異常矯正視力度数及び矯正視力を自動的に測定する検眼装置を具備し、この検眼装置が検眼結果入力手段に接続され、検眼の結果が自動的に入力されることが記載されており、引用例４には、必要に応じメガネを購入することができる、無人のメガネ情報発信装置において、裸眼視力を測定し、裸眼視力の矯正に必要なレンズ度数を算出する視力測定装置を備えていることが記載されており、引用発明１において、裸眼視力を測定し、裸眼視力の矯正に必要なレンズ度数を算出する視力測定装置を設けること、および、検眼装置による検眼の結果を自動的に入力すること、すなわち、レンズ度数を含むユーザー視力に関する検眼データを入力する検眼結果入力手段を設けることは当業者が容易に想到しうることである。
　
　上記相違点７について検討する。
　引用例２には、レンズ選択手段を有することも記載されており、引用例３には、モデルの顔画像を選択することも記載されているので、引用発明１において、レンズ選択手段および顔画像選択手段を設けることは当業者が容易に想到しうることである。また、上記相違点３において検討したように、眼鏡フレーム及び眼鏡レンズをユーザーの３Ｄ顔画像に合成して表示することは、例えば引用例４に記載されるように周知であるから、３Ｄフレーム選択手段、レンズ選択手段、および顔画像選択手段を、３Ｄフレーム選択手段、３Ｄレンズ選択手段および３Ｄ顔画像選択手段とすることは当業者が容易に想到しうることである。
　
　上記相違点８について検討する。
　引用例２には、眼鏡フレーム及び眼鏡レンズを顔画像に合成することも記載されているので、引用発明１において、眼鏡フレーム及び眼鏡レンズを顔画像に合成することは当業者が容易に想到しうることである。また、上記相違点３において検討したように、眼鏡フレーム及び眼鏡レンズをユーザーの３Ｄ顔画像に合成して表示することは、例えば引用例４に記載されるように周知であるから、前記眼鏡フレーム及び眼鏡レンズ並びに顔画像を３Dとすることは当業者が容易に想到しうることである。
　
　上記相違点９について検討する。
　引用例４には、３Ｄ画像合成手段で合成された、フレームと各種レンズを装着したイメージを重ね合わせた立体顔画像を回転することによって全方位からの眼鏡装着具合の確認が可能であることも記載されており、顔画像と眼鏡画像を合成して表示する際に、画像の拡大、縮小を行うことは例えば特開２００１−３３１５５０号公報および特開２０００−１２３０５３号公報に記載されるように周知であって、３Ｄ画像の表示において、移動、回転、拡大、及び縮小操作を行うことは周知慣用技術であるから、引用発明１において、ディスプレイで３Ｄ画像合成手段で合成された３Ｄ画像の移動、回転、拡大、及び縮小操作による全方位からの眼鏡装着具合の確認が可能となるようにすることは当業者が容易に想到しうることである。
　また、３Ｄ画像の表示において、視点操作によって視点位置の変換を行うことは周知慣用技術であって、引用例６には、眼鏡の疑似体験システムにおいて、眼鏡を掛けたときに現れる画像の変形あるいはレンズの収差によって発生する部分的な画像のボケを視野像として表現すること、すなわち、ユーザー視点で周囲を見渡す視点操作による眼鏡度数の確認を行うことが記載されており、引用発明１においても、ディスプレイでユーザー視点で周囲を見渡す視点操作による眼鏡度数の確認が可能となるようにすることは当業者が容易に想到しうることである。
　さらに、３Ｄ画像の表示において、アバター３Ｄ画像によるアニメーション表示は例えば特開２００１−３５７４１４号公報に記載されるように周知慣用技術であるから、引用発明１において、ディスプレイでアバター３Ｄ画像による眼鏡装着時のアニメーション表示をすることは当業者が容易に想到しうることである。
　
　上記相違点１０について検討する。
　上記相違点２において検討したように、ディスプレイをタッチパネル操作方式とすることは、例えば引用例２に記載されるように周知であるから、引用発明１において、ディスプレイをタッチパネル操作方式とすることは当業者が容易に想到しうることである。
　
　上記相違点１１について検討する。
　引用例２には、フレームとレンズと検眼結果から、眼鏡作成用データを作成する手段を有することも記載されており、引用発明１において、眼鏡作成用データ作成手段が選択された眼鏡フレーム及び眼鏡レンズと検眼データとから眼鏡作成用データを作成するようにすることは当業者が容易に想到しうることである。
　
　上記相違点１２について検討する。
　「眼鏡注文書」を「眼鏡販売店」へ伝送することは、当業者が必要に応じて適宜なし得ることである。
　
　上記相違点１３について検討する。
　引用例２には、眼鏡の注文が終了した時に、合成画像を含む請書を出力するプリンタを有することも記載されており、引用発明１において、注文請書をプリントアウトする付属サービス手段を設けることは当業者が容易に想到しうることである。
　
　上記相違点１４について検討する。
　上記相違点５において検討したように、記憶媒体から顔の画像データとともに眼鏡フレーム及び眼鏡レンズの画像データを取り込むようにすることは、当業者が必要に応じて適宜なし得ることであるから、引用発明１において、３Ｄ画像取込手段で３Ｄ画像データを取り込むための記録媒体からの読み取りをする付属サービス手段を設けることは当業者が必要に応じて適宜なし得ることである。
　　　
　そして、本件補正発明の作用効果は引用発明１及び引用例２ないし６に記載の発明並びに周知技術から当業者が予期できたものである。
　
　したがって、本件補正発明は、引用発明１及び引用例２ないし６に記載の発明並びに周知技術に基づいて当業者が容易に発明をすることができたものである。
　
３．本件補正についての結び
　
　よって、本件補正発明は、上記引用発明１及び引用例２ないし６に記載された発明並びに周知技術に基づいて、当業者が容易に発明をすることができたものと認められるから、特許法第２９条第２項の規定の規定により、特許出願の際独立して特許を受けることができないものであるので、本件補正は、平成１８年改正前特許法第１７条の２第５項の規定において準用する同法第１２６条第５項の規定に違反する。
　
　したがって、本件補正は、特許法第１５９条第１項において読み替えて準用する同法第５３条第１項の規定により却下すべきものである。
　
第３　本願発明について
１．本願発明
　本件補正は上記のとおり却下されたので、本願の請求項１に係る発明（以下「本願発明」という。）は、「第２［理由］１．」に本件補正前の請求項１として記載したとおりのものである。
　
　本願発明１は、前記「第２［理由］２．」で検討した本件補正発明から、「街頭情報端末」について、「公共の場所に設置され」及び「タッチパネル操作方式の汎用の」という限定を省き、「３Ｄ画像合成手段で合成された３Ｄ画像の移動、回転、拡大、及び縮小操作による全方位からの眼鏡装着具合の確認」から「全方位からの眼鏡装着具合の確認」という限定を省き、「ユーザー視点で周囲を見渡す視点操作による眼鏡度数の確認」から「眼鏡度数の確認」という限定を省き、「アバター３Ｄ画像による眼鏡装着時のアニメーション表示が可能」であるという事項を省き、「３Ｄ画像データを取り込むための記録媒体からの読み取り」について「３Ｄ画像取込手段」での読み取りであるという限定を省いたものに相当する。
　
２．対比
　
　本願発明を、引用発明１と対比すると、本願発明と引用発明１とは、本件補正発明と引用発明１との一致点において一致し、上記相違点３ないし８および１０ないし１４に加え、次の点で相違する。
　
（相違点）　
　「ディスプレイ」が、本願発明では「３Ｄ画像合成手段で合成された３Ｄ画像を、移動、回転、拡大、及び縮小操作とユーザー視点で周囲を見渡す視点操作とが可能な３Ｄ眼鏡装着シミュレーション画像により表示する」のに対して、引用発明１ではこのことが明らかでない点。
　
３．判断
　
　上記相違点について検討する。
　引用例４には、３Ｄ画像合成手段で合成された、フレームと各種レンズを装着したイメージを重ね合わせた立体顔画像を回転することによって全方位からの眼鏡装着具合の確認が可能であることも記載されており、顔画像と眼鏡画像を合成して表示する際に、画像の拡大、縮小を行うことは例えば特開２００１−３３１５５０号公報および特開２０００−１２３０５３号公報に記載されるように周知であって、３Ｄ画像の表示において、移動、回転、拡大、及び縮小操作を行うことは周知慣用技術であるから、引用発明１において、ディスプレイで３Ｄ画像合成手段で合成された３Ｄ画像の移動、回転、拡大、及び縮小操作を行うことは当業者が容易に想到しうることである。
　また、３Ｄ画像の表示において、視点操作によって視点位置の変換を行うことは周知慣用技術であるから、引用発明１において、ディスプレイでユーザー視点で周囲を見渡す視点操作を行うことは当業者が容易に想到しうることである。
　
　相違点３ないし８および１０ないし１４については、上記「第２［理由］２．」で検討したとおりである。
　
　そして、本願発明の作用効果が引用発明１及び引用例２ないし５に記載の発明並びに周知技術から予期し得ない格別のものであるとも認められない。
　
　したがって、本願発明は、引用発明１及び引用例２ないし５に記載の発明並びに周知技術に基づいて当業者が容易に発明をすることができたものである。
　
４．むすび
　以上のとおり、本願発明は、引用発明１及び引用例２ないし５に記載された発明並びに周知技術に基づいて当業者が容易に発明をすることができたものであるので、特許法第２９条第２項の規定により特許を受けることができない。
　
　よって、結論のとおり審決する。